(57)【特許請求の範囲】
【請求項１】
断熱箱体の底部に底部送風路を設け、この底部送風路に連通する二重構造の外側送風路および内側送風路を前記断熱箱体の背部に設け、前記底部送風路に略同一面内に位置するように複数の外側送風路用および内側送風路用のファンを設け、これらのファンをファン室でそれぞれ仕切ると共に、これら複数のファン室の出口側に前記断熱箱体の幅方向の全域に亘って仕切部材を設け、この仕切部材に設けた外側送風路用の開口を通じて外側送風路用のファンの送風を外側送風路に導くと共に、前記仕切部材に設けた内側送風路用の開口を通じて内側送風路用のファンの送風を内側送風路に導くように構成した低温ショーケースにおいて、
少なくとも前記外側送風路用の開口及び前記外側送風路の入口を前記断熱箱体の幅方向の全域に亘って形成したことを特徴とする低温ショーケース。
【発明の詳細な説明】
【０００１】
【発明の属する技術分野】
本発明は、外側送風路および内側送風路を断熱箱体の背部に備えた低温ショーケースに関する。
【０００２】
【従来の技術】
図３において、符号６１は従来の低温ショーケースを示す。この低温ショーケース６１では、断熱箱体６２、断熱壁６３及び貯蔵室仕切壁６４が設けられ、断熱箱体６２と断熱壁６３との間には外側送風路６５が形成され、断熱壁６３と貯蔵室仕切壁６４との間には内側送風路６６が形成され、これら外側送風路６５及び内側送風路６６が完全に仕切られて完全二重構造の送風路６５、６６が形成される。外側送風路６５には外側送風路用ファン６７が設けられ、内側送風路６６には内側送風路用ファン６８が設けられる。各ファン６７、６８が運転されると、外側送風路６５内を冷気が矢印Ａ２の方向に移動すると共に、内側送風路６６内を冷気が矢印Ｂ２の方向に移動する。符号６９はデッキパンを示し、このデッキパン６９を白抜き矢印方向に引き上げて、外側及び内側送風路６５、６６に流れ込むドレンの清掃やメンテナンスが行われる。
【０００３】
この低温ショーケース６１は外側送風路６５及び内側送風路６６における送風静圧が小さいので、送風路６５、６６を通過する風量を増大させることができるという利点がある。
【０００４】
図４において、符号８１は別の従来の低温ショーケースを示す。この低温ショーケース８１では、断熱箱体８２の底部には底部送風路８３が形成され、この底部送風路８３に連通する二重構造の外側送風路８４および内側送風路８５が断熱箱体８２の背部に形成される。これら外側送風路８４および内側送風路８５は仕切壁８６で仕切られる。符号９２はデッキパンを示し、このデッキパン９２を白抜き矢印方向に引き上げて、底部送風路８３に流れ込むドレンの清掃やメンテナンスが行われる。底部送風路８３には、図５に示すように、１個の外側送風路用ファン８７とこの外側送風路用ファン８７の両側に位置する２個の内側送風路用ファン８８とが低温ショーケース８１の幅方向に一列に（略同一平面内に位置するように）配置され、これら外側送風路用ファン８７および内側送風路用ファン８８のファンケーシング９３の出口側には仕切部材８９が設けられ、この仕切部材８９には外側送風路用開口９０及び内側送風路用開口９１が形成される。外側送風路用ファン８７および内側送風路用ファン８８を運転すると、送風が矢印方向に導かれる。すなわち、底部送風路８３からの送風は外側送風路用開口９０と仕切壁８６に形成された仕切壁開口９４とを通じて外側送風路用ファン８７の送風が外側送風路８４に導かれる。一方、底部送風路８３からの送風は仕切部材８９に設けられた内側送風路用開口９１を通じて内側送風路用ファン８８の送風が内側送風路８５に導かれる。
【０００５】
この低温ショーケース８１では、デッキパン９２を引き上げて底部送風路８３に流れ込むドレンの清掃やメンテナンスを行うときに、邪魔になるものが少ないので、清掃やメンテナンスを行いやすいという利点がある。
【０００６】
【発明が解決しようとする課題】
しかしながら、従来の完全二重構造の低温ショーケース６１では、外側及び内側送風路６５、６６に流れ込むドレンの清掃やメンテナンスを行う時に、外側送風路６５は断熱壁６３に覆われていると共に内側送風路６６は内側送風路用ファン１１８等が邪魔になるので、作業性が極めて低いという問題がある。
【０００７】
また、従来の外側及び内側送風路用ファン８７、８８を幅方向に一列に配置した低温ショーケース８１では、外側送風路用開口９０（仕切壁開口９１）が小さいので、この外側送風路用開口９０において送風静圧が増大し、外側送風路８４を通る送風量が減少するという問題がある。
【０００８】
そこで、本発明の目的は、上述した従来の技術が有する課題を解消し、ショーケース本体の底部の作業性が良好で、且つ外側送風路の送風量を増大させることができる低温ショーケースを提供することにある。
【０００９】
【課題を解決するための手段】
請求項１記載の発明は、断熱箱体の底部に底部送風路を設け、この底部送風路に連通する二重構造の外側送風路および内側送風路を前記断熱箱体の背部に設け、前記底部送風路に略同一面内に位置するように複数の外側送風路用および内側送風路用のファンを設け、これらのファンをファン室でそれぞれ仕切ると共に、これら複数のファン室の出口側に前記断熱箱体の幅方向の全域に亘って仕切部材を設け、この仕切部材に設けた外側送風路用の開口を通じて外側送風路用のファンの送風を外側送風路に導くと共に、前記仕切部材に設けた内側送風路用の開口を通じて内側送風路用のファンの送風を内側送風路に導くように構成した低温ショーケースにおいて、少なくとも前記外側送風路用の開口及び前記外側送風路の入口を前記断熱箱体の幅方向の全域に亘って形成したことを特徴とするものである。
【００１１】
これらの発明によれば、少なくとも外側送風路用の開口を仕切部材の長さ方向ほぼ全域に亘って形成したので、外側送風路用の開口が大きくなり、送風静圧が減少し、外側送風路の送風量を増大させることができる。また、底部送風路が分割されていないので、底部送風路の清掃やメンテナンスを行いやすく、作業性を向上させることができる。
【００１２】
【発明の実施の形態】
以下、本発明の一実施形態を図面に基づいて説明する。
【００１３】
図１において、符号１は本実施形態による低温ショーケースを示す。この低温ショーケース１は、断熱箱体２と、この断熱箱体２と間隔をあけて設けられる断熱仕切壁３と、この断熱仕切壁３と間隔をあけて設けられる貯蔵室仕切壁４を備え、断熱箱体２の背部と断熱仕切壁３との間には外側送風路５が形成されると共に、断熱仕切壁３と貯蔵室仕切壁４との間には内側送風路６が形成される。内側送風路６には、図示を省略した冷却器が設置される。断熱箱体２の底部には外側送風路５及び内側送風路６に連通する底部送風路７が形成される。この底部送風路７の上にはデッキパン８が設けられ、このデッキパン８の上方には商品が陳列される貯蔵室９が形成されている。尚、デッキパン８を白抜き矢印方向に引き上げて、底部送風路８３に流れ込むドレンの清掃やメンテナンスが行われる。
【００１４】
底部送風路７には、図２に示すように、１個の外側送風路用ファン１１と、この外側送風路用ファン１１の両側に位置する２個の内側送風路用ファン１２とが設けられ、これらは低温ショーケース１の幅方向に一列に（略同一面内に位置するように）並んでいる。外側及び内側送風路用ファン１１、１２はファンケーシング１３に取り付けられ、このファンケーシング１３内には外側送風路用ファン１１が取り付けられるファン室１４と、内側送風路用ファン１２が取り付けられるファン室１５とが形成され、これらファン室１４、１５を仕切る仕切板１６が設けられる。ファンケーシング１３の断熱壁３側には壁部（仕切部材）１７を備え、この壁部１７の下部には外側送風路用開口１８が低温ショーケース１の幅方向（長さ方向）の全域に亘って形成されると共に、断熱壁３には外側送風路入口２０が低温ショーケース１の幅方向（長さ方向）の全域に亘って形成されている。また、壁部１７の内、内側送風路用ファン１２のファン室１５に臨む面には内側送風路用開口１９が形成される。尚、図中、ファンケーシング１３の壁部１７と断熱壁３の外側送風路入口２０の周囲とは実際には接している。
【００１５】
図中矢印Ａ１は、外側通風路５に流れ込む冷気の流れを示し、矢印Ｂ１は内側通風路６に流れ込む冷気の流れを示す。外側及び内側送風路用ファン１１、１２を運転させると、図１に示すように、低温ショーケース１の前面下部に設けられた吸込口２１を通じて貯蔵室９の冷気が吸い込まれ、この吸い込まれた冷気は低部送風路３を通り、ファンケーシング１３内に吸い込まれる。外側送風路用ファン１１のファン室１４に吸い込まれた冷気は、ファンケーシング１３内の下部で低温ショーケース１の幅方向に広がり、外側送風路用開口１８と外側送風路入口２０とを通じて外側通風路５に導かれて上昇し、外側通風路用吹出口（図示せず）から貯蔵室９に吹き出される。一方、内側送風路用ファン１２のファン室１５に吸い込まれた冷気は、内側送風路用開口１９を通じて、内側通風路６に導かれて上昇し、前記冷却器を経て冷却され、内側通風路用吹出口（図示せず）から貯蔵室９に吹き出される。
【００１６】
本実施形態では、外側送風路用開口１８を壁部１７の長さ方向全域に亘って形成したので、外側送風路用開口１８が大きくなり、送風静圧が減少し、外側送風路５の送風量を増大させることができる。また、底部送風路７が完全に分割されていないので、底部送風路７の清掃やメンテナンスを行いやすく、作業性を向上させることができる。
【００１７】
以上、一実施の形態に基づいて本発明を説明したが、本発明はこれに限定されるものではない。本実施形態では、外側送風路５及び内側送風路６の間に断熱壁３が設けられているが、この断熱壁３は仕切壁でもよい。
【００１８】
【発明の効果】
上述の発明によれば、少なくとも外側送風路用の開口を仕切部材の長さ方向ほぼ全域に亘って形成したので、外側送風路用の開口が大きくなり、送風静圧が減少し、外側送風路の送風量を増大させることができる。また、底部送風路が分割されていないので、底部送風路の清掃やメンテナンスを行いやすく、作業性を向上させることができる。
【図面の簡単な説明】
【図１】本実施形態による低温ショーケースの底部を示す縦断面図である。
【図２】ファンケーシングと断熱壁とを示す斜視図である。
【図３】従来の低温ショーケースの底部を示す縦断面図である。
【図４】別の従来の低温ショーケースの底部を示す縦断面図である。
【図５】図４のファンケーシングと断熱壁とを示す斜視図である。
【符号の説明】
１  低温ショーケース
２  断熱箱体
５  外側送風路
６  内側送風路
７  底部送風路
１１  外側送風路用ファン
１２  内側送風路用ファン
１３  ファンケーシング
１７  壁部
１８  外側送風路用開口
１９  内側送風路用開口
【図１】
0004033576.tif 000002
【図２】
0004033576.tif 000003
【図３】
0004033576.tif 000004
【図４】
0004033576.tif 000005
【図５】
0004033576.tif 000006